Podtech/llm-jp-corpus-v4-ja_patent huggingface dataset:
(57)【要約】      （修正有）【課題】コンパクト且つ、効率の良い熱ローラーを提供する。【解決手段】手押しローラーとカセットガスボンベとトーチを一体化して、且つ、トーチの先をローラーの中に差し込んで、ローラー内部を熱する。【選択図】図１
0003170353.tif 000002
【実用新案登録請求の範囲】
【請求項１】
手押しローラーに於いて、カセットガスボンベに、取り外し可能なトーチが取り付けられた、ガスバーナーのトーチ部分をローラーの中に、差し込んでガスを燃焼して、ローラーを熱する事を特徴とする、ガスバーナーが手押しローラと一体となった器具。
【請求項２】
カセットガスボンベとトーチを銅パイプ等のガス用パイプと繋いで、カセットガスボンベを手押しローラーの、別の個所に取り付けた、請求項１の手押しローラー。
【考案の詳細な説明】
【考案の詳細な説明】
【技術分野】
【０００１】    本考案は、熱ローラーに関する。
【背景技術】
【０００２】  従来、ゴムチップ舗装やアスファルフ舗装等、舗装表面の仕上げには、電熱線入りの電気ローラーや、プロパンガス等で熱した、焼き鏝が使用されてきた。
【考案が解決しようとする課題】
【０００３】    しかしながら、上記の舗装仕上げ器具において、電気ローラーは、電源が必要であり、電気コードの届く範囲しか、使用が出来なかった。又、焼き鏝等は、プロパンガス等で熱して鏝の温度が一定以上になってから、舗装表面を仕上げる為、鏝が冷めてくると、温め直さなければならず、手間と時間が無駄であった。又、その間、作業を続ける為に，もう一台の鏝を用意して、熱しておく必要があり、効率が悪かった。
【０００４】    さらに、電気ローラーは、多くの電気容量が必要な為、別に、発電機を用意しなければならず、別途、費用がかかつた。又、焼き鏝は、常に交代用の鏝をガスで、熱し続けなければならず、ガス代がより多く生じてしまった。又、プロパンガスの保管やガスの充填等、手間がかかった。
【問題を解決するための手段】
【０００５】  上記課題を解決する為に、１ｃｍ〜１００ｃｍの任意の範囲の直径と１ｃｍ〜２００ｃｍの任意の長さを有する金属パイプの両端に、内ネジを切り、凸状の軸付きフランジをねじ込んでローラー軸とする。但し、凸状のフランジ部分には、空気の出入りの為の穴が任意の個数あけるられており、外周は外ネジが切ってある。更に、軸部分はトーチが入る為の穴が貫通している。そして、このローラー軸を保持する為、ローラー軸支持アームの軸受け部分が、左右の軸に差し込まれている。又、ローラー軸支持アームのどちらかに、カセットガスボンベを装着する為の、保持具が取り付けられている。次に、ローラー軸支持アームの他端は、柄の部分に、ボルト・ナットで固定されている。そして、カセットガスボンベにトーチを取付し、次に、カセットガスボンベをカセットガスボンベ保持具に装着し、トーチの先をローラー軸に差し込んで、手押しローラーと一体にする。此の様な熱ローラーを提供する。
【考案の効果】
【０００６】    本考案の熱ローラーは、基本的に、カセットガスボンベを使用するので、電気ローラーの様に、発電機等の設備を必要とせず、又、電気コードが無い為、どの様な場所でも使用可能である。又、カセットガスボンベは簡単に手に入り易い、利点がある。
【０００７】    又、カセットガスがローラーの中で直接燃焼するので、一定の温度で常時ローラーを熱する事ができる為、継続して作業が出来るので、焼き鏝と比べても、非常に効率が良いのである。
【０００８】    さらに、積雪の上を転がす事で、融雪機の機能も有するのである。
以上のように、本考案は有効な効果を有し、産業上の利用価値は、極めて高いのである。
【考案の実施形態】
【０００９】    以下、本考案を図面に基づいて詳細に説明する。
図１は、本考案の実施形態に係る代表的な例である、カセットガス式熱ローラーの図である。図２は、図１の分解・組み立て図。図３は、図２のＡ−Ａ断面図と側面図。図４は、図２のＢ−Ｂ断面図。図５は、図２のＣ−Ｃ断面図。図６は、図２のＤ−Ｄ断面図
【００１０】    このカセットガス式熱ローラーは、図１に示す様に、ローラー１、トーチ２、カセットガスボンベ３、ローラー軸４、ローラー軸支持アームカセットガスボンベ保持具付５、ローラー軸支持アーム６、柄８、ボルト９、ナット１０、等の主要部品で構成されている。
【００１１】    図２において、ローラー１は、両端が内ネジ加工されていて、そこに、ローラー軸４を両端にねじ込んでローラーの軸とする、このローラー軸４は、フランジの外周に外ネジが加工されていて、ローラーの内ネジと合わさる。又、フランジには複数個の空気流入、排気流出の為の穴１２があいている。そして、軸の内側は、トーチ２が入る様に、穴が貫通している。次に、ローラー軸支持アームカセットボンベ保持具付５とローラー軸支持アーム６の軸受け部分が、ローラー軸４に、差し込まれる。更に、支持アームの他端は、柄の８に、ボルト９とナット１０で取り付けられる。次に、トーチ２をカセットガスボンベ３に取り付ける。トーチ２の先の部分は、ローラー軸４の軸の穴の中に、差し込まれカセットガスボンベは、カセットガスボンベ保持具７に、取り付けられて出来上がっている。
【００１２】  図１において、本考案の好適な使用例を説明する。ゴムチップ舗装やアスファルト舗装の仕上げの現場に於いて、本考案のカセットガス式熱ローラーのカセットガスボンベ３から供給されるガスをトーチ２で燃焼させて、炎１１となった熱は、ローラーの内部を熱する。熱せられたローラーを柄８を持って、前後に動かして、ローラーを回転させれば、舗装の表面を仕上げる事と成る。この様に、本考案は、熱源とローラーが一体と成っているので、従来の電気ローラーや焼き鏝と比べて、施工場所を選ばず、且つ、継続して作業が出来、時間の無駄が無いのである。又、同様に、積雪した場所で、本考案のカセットガス式熱ローラーを転がせば、雪を溶かして、融雪器具の役目を果たすのである。
【図面の簡単な説明】
【００１３】
【図１】本考案の実施形態に係る、カセットガス式熱ローラーの構成部材を示す平面図である。
【図２】図１の分解・組み立て図
【図３】図２のＡ−Ａ断面図・側面図
【図４】図２のＢ−Ｂ断面図
【図５】図２のＣ−Ｃ断面図
【図６】図２のＤ−Ｄ断面図
【符号の説明】１，ローラー
２，トーチ
３，カセットガスボンベ
４，ローラー軸
５，ローラー軸支持アームカセットガスボンベ保持具付
６，ローラー軸支持アーム
７，カセットガスボンベ保持具
８，柄
９，ボルト
１０，ナット
１１，炎
１２，空気流入・排気流出穴
【図１】
0003170353.tif 000003
【図２】
0003170353.tif 000004
【図３】
0003170353.tif 000005
【図４】
0003170353.tif 000006
【図５】
0003170353.tif 000007
【図６】
0003170353.tif 000008
(57)【要約】      （修正有）【課題】使いやすくファッション性に富んだ伸縮栞を提供する。【解決手段】適宜長の伸縮ベルトの一端にストッパーを、他端に書籍に対する保持部を各々設けたことを特徴とする。保持部にて本に取り付ける方式のため、本のサイズにかかわらず使用でき、ストッパーに装飾的要素を加えることにて、ファッショナブルな物品として視覚的に楽しむことができる。【選択図】図４
0003170360.tif 000002
【実用新案登録請求の範囲】
【請求項１】
適宜長の伸縮ベルトの一端にストッパーを、他端に書籍に対する保持部を各々設けてなる伸縮栞。
【請求項２】
ストッパーを布製小球体とした請求項１記載の伸縮栞。
【請求項３】
保持部をクリップとした請求項１又は２記載の伸縮栞。
【請求項４】
保持部を環状伸縮ベルトとした請求項１又は２記載の伸縮栞。
【考案の詳細な説明】
【技術分野】
【０００１】  この考案は、伸縮機能を有する栞に関する。
【背景技術】
【０００２】  従来より、多種多様な栞が利用されているが、伸縮機能を有するものは見あたらない。
【考案の開示】
【考案が解決しようとする課題】
【０００３】  栞は、本の読みかけの頁に挟み込んで、次回読書時にその頁を速やかに見いだすために用いられている。この栞は、以前より栞紐が多用されてきた。これは細紐の一端を本の背に本と一体に設け、この紐を所望の頁に挟み込んで使用するもので、ハードカバー本に多用されているが、栞紐のない本も多数存在する。また、小紙片タイプの栞も多用されている。これは使用のたびに頁に挟み込み、読書時はその紙片を本より取り外すものである。
ところで、電車内等にて読書するときは、この小紙片タイプはその置き場所がなく不便であり、栞紐方式は本が限定される。一方、本の表紙と裏表紙にかけて使うブックカバーも多用されており、このブックカバーに栞紐を取り付けたものもあるが、あくまでも本のサイズに適合したブックカバーが必要である。
本案は、以上のような従来からの栞に関わる課題を解決するために考案されたもので、本のサイズに左右されずに手軽に使用できる新規な栞を提供することを目的としたものである。
【課題を解決するための手段】
【０００４】  課題を解決する手段として本案は以下の構成とした。すなわち、適宜長の伸縮ベルトの一端にストッパーを、他端に書籍に対する保持部を各々設ける。本案は以上の構成よりなる伸縮栞である
【考案の効果】
【０００５】  本案は、以下の効果を有する。
１．保持部にて本に取り付ける方式のため、本のサイズにかかわらず使用できる。
２．ストッパーを有する伸縮ベルトにて所望の頁に挟み込む方式のため、頁を開いて小さ  な動作にてストッパーをページ上から除去できて、使用に便利である。
３．ストッパーに装飾的要素を加えることにて、ファッショナブルな物品として視覚的に  楽しむことができる。
【考案を実施するための最良の形態】
【０００６】  以下、本考案の実施形態について説明する。
図において、１は伸縮ベルトで、布引ゴムベルトである。２はストッパーで、布製小球体であり、伸縮ベルトの一端にその表面が縫着される。３は保持部で、市販のゼムクリップ同等品であり、同じく伸縮ベルト他端にその一部が縫着される。
本案を使用するには、まず、本の裏表紙上端に保持部を挟持させる。次に、任意の頁を開き、ストッパーを引いて本の下端より突出させる。このとき、伸縮ベルトは伸びて本の開いたページ上に接触して位置している。このままストッパーを保持しつつ本を閉じると、ストッパーは閉じた本の下端に押圧接触して位置し、栞の役割を果たす。
本を読むときは、ストッパーをつまみながら頁を開き、ストッパーを少し持ち上げながら指を離すと、ベルトの縮む力にて勢いよく保持部側に飛び出し、一瞬にて頁から離れて保持部下方に垂れ下がるので、所望の頁から読み始めることができる。読書を終えるときは、垂れ下がったストッパーをつまんで上記のごとく頁に挟み込めばよい。
図５〜図８は本案の他例を示すもので、前例のゼムクリップ状保持部に代えて環状保持部４を用いたもので縫着にて伸縮ベルトと一体に形成される。使用時は、この環状保持部を図７のように本の裏表紙にかけて使用する。本例はストッパーと伸縮ベルトの２品のみで形成され、低コストでの制作が可能である。【０００７】  以上、本案について記したが、本案は従来の栞に比べて伸縮ベルトとストッパーを用いるため、操作のおもしろさと視覚的変化に富み、従来品にない特徴を有するものであり、より斬新な栞を提供するものである。尚、保持部は既述のゼムクリップ形式や環状保持部形式以外に、他の種々の形式のクリップが使用でき、ストッパーについてもよりカラフルで装飾性に富んだ物品を用いることができ、その形状も既述の球形以外にマスコット的な種々の形状を用いることができる。本品は低価格にて制作可能であるため、ノベルティ用品としても好適であると思われる。以上のごとく、本案にて新規かつ有用なる栞を得ることができる。【０００８】
【図面の簡単な説明】
【０００９】
【図１】  本考案の平面図
【図２】  本考案の正面図
【図３】  本考案の使用状態図（本を閉じたとき）
【図４】  本考案の使用状態図（本を開いたとき）
【図５】  本考案の他例平面図
【図６】  本考案の他例正面図
【図７】  本考案の他例の使用状態図（本を閉じたとき）
【図８】  本考案の他例の使用状態図（本を開いたとき）
【符号の説明】
【００１０】  １  伸縮ベルト
２  ストッパー
３  保持部
４  環状保持部
【図１】
0003170360.tif 000003
【図２】
0003170360.tif 000004
【図３】
0003170360.tif 000005
【図４】
0003170360.tif 000006
【図５】
0003170360.tif 000007
【図６】
0003170360.tif 000008
【図７】
0003170360.tif 000009
【図８】
0003170360.tif 000010
(57)【要約】      （修正有）【課題】今までの鼻当て部品は平たい部品なので重たいガラスレンズや、長くメガネをかけていると鼻の接触部分が痛くなるので、ソフトなメガネの鼻当て部品を提供する。【解決手段】鼻当て部品を球面又は楕円形にすると鼻の当たる部分が、ソフトになり長時間メガネをかけていても痛さが軽減される。【選択図】図１
0003170302.tif 000002
【実用新案登録請求の範囲】
【請求項１】
メガネの鼻当て部品の変更により機能的に便利でありデザインは斬新となる
【考案の詳細な説明】
【技術分野】
【０００１】本考案はメガネの鼻当て部品について。
【背景技術】
【０００２】今までの鼻当て部品は平べったいので長くメガネをかけていると鼻が痛くなる。
【考案の開示】
【考案が解決しようとする課題】
【０００３】今までの鼻当て部品は、平べったいので長時間かけていたり、重たいガラスレンズのメガネはより一層痛さが出てくる。
【課題を解決するための手段】
【０００４】鼻当て部品を平たい今までの部品を球面、楕円形にして鼻にあたる部分をソフトにして痛さをおさえる。
【考案の効果】
【０００５】よって鼻の部分に当たる部品が、球面、楕円形なので長時間かけていても痛さをおさえる。
【考案を実施するための最良の形態】
【０００６】鼻の当たる部品を図１の球面、楕円形にする事により痛さが軽減される。
【図面の簡単な説明】
【０００７】
【図１】本考案に係る部品の鼻当て部品の球面、楕円形の断面図である。
【図２】従来のメガネの鼻当て部品の断面図である。
【符号の説明】
【０００８】１、  球面、楕円形の図
２、  従来の部品の図
【図１】
0003170302.tif 000003
【図２】
0003170302.tif 000004
【手続補正書】
【提出日】平成23年4月7日(2011.4.7)
【手続補正１】
【補正対象書類名】実用新案登録請求の範囲
【補正対象項目名】全文
【補正方法】変更
【補正の内容】
【実用新案登録請求の範囲】
【請求項１】
メガネの鼻当て部品の形を変更し鼻に当たる部分の部品の形状を球面、又は楕円形面にして鼻との接触部分をソフトな感じにして、長時間メガネをかけていても違和感を感じさせない様にする。
【手続補正書】
【提出日】平成23年6月23日(2011.6.23)
【手続補正１】
【補正対象書類名】実用新案登録請求の範囲
【補正対象項目名】全文
【補正方法】変更
【補正の内容】
【実用新案登録請求の範囲】
【請求項１】
メガネの鼻との接触部分をソフトにするため、メガネの鼻に当たる部分の形状を球面又は楕円形面に形成したメガネの鼻当て。
(57)【要約】      （修正有）【課題】価格の安い電磁波カット用品を提供し、生活の上で普及されやすくすることを目的とする。より具体的には、家庭でも容易に製作が可能な電磁波カット三角巾を提供する。【解決手段】電磁波を遮断する布からなる三角巾であり、該三角巾には、三角巾を頭に縛ることができるはちまき部分を取り付けたことを特徴とする電磁波カット三角巾である。【選択図】図１
0003170307.tif 000002
【実用新案登録請求の範囲】
【請求項１】
電磁波を遮断する布からなる三角巾であり、該三角巾には、三角巾を頭に縛ることができるはちまき部分を取り付けたことを特徴とする電磁波カット三角巾。
【考案の詳細な説明】
【技術分野】
【０００１】  本考案は、コストが安く、普及させやすい電磁波三角巾に関するものである。
【背景技術】
【０００２】  電磁波が体に影響があり、中でもゲームをするとゲーム機の電磁波によりゲーム脳になるといわれる。
これまでに、電磁波の影響をカットする目的で、電磁波カット帽子などが提案されている。
特許文献１には、電磁波シールド材で作った電磁波遮蔽帽子が提案されている。
また、特許文献２には、電磁波シールドクロスを用いた身体保護用品が提案されている。
しかし、該提案の電磁波カット用品は、縫製などの製作を工業的に実施する必要があり、製作に手間がかかるために価格が高くなり、購入が難しいことから、広く普及され難いという問題がある。
【先行技術文献】
【特許文献】
【０００３】
【特許文献１】  実用新案登録第３０７３３１９号
【特許文献２】  特開２０１０−４３３７０号
【考案の概要】
【考案が解決しようとする課題】
【０００４】    本考案は、価格の安い電磁波カット用品を提供し、生活の上で普及されやすくすることを目的とする。より具体的には、家庭でも容易に製作が可能な電磁波カット三角巾を提供することを目的とする。
【課題を解決するための手段】
【０００５】    本考案は、電磁波を遮断する布からなる三角巾であり、該三角巾には、三角巾を頭に縛ることができるはちまき部分を取り付けたことを特徴とする電磁波カット三角巾である。
【考案の効果】
【０００６】    本考案によれば、家庭でも簡単に製作が可能であることから、電磁波カット用品を安価に提供できる。
【図面の簡単な説明】
【０００７】
【図１】図１は、本考案の電磁波カット三角巾の平面図である。
【考案を実施するための形態】
【０００８】    本考案の電磁波カット三角巾は、電磁波カット性能を有する布を自宅で縫製することで、容易に製作することができる。
電磁波カット性能を有する布として、例えば銅、アルミニュウム、銀などの導電性材料と綿、ポリエステルなどの繊維材料を組み合わせたものや、導電性材料を繊維に被覆やメッキしたものでできた布が採用される。
また、場合によっては、市販の布に調理用のアルミ箔などを貼り付けたり、布の中に織り込んだ状態で縫製して使用してもよい。
本考案の電磁波カット三角巾は、三角巾本体部とそれに付属するはちまき部共に電磁波カット布からなることが好ましいが、三角巾部のみを電磁波カット布とすることでも、十分な電磁波カット性能が得られる。
三角巾本体部とはちまき部はミシンなどにより、縫製し一体化することが好ましい。
【実施例】
【０００９】    市販のさらし布の中に、市販のアルミホイルを挟みこんで、図１に示すような三角巾を作成した。
三角巾はアルミホイルの効果で、電磁波カット性能を有していた。
【産業上の利用可能性】
【００１０】    本考案によれば、一般家庭でも安価に電磁波カット三角巾が作成できることから、電磁波カット三角巾を着ける習慣もでてきて、生活の中で普及することで、産業上の利用可能性が向上する。
【符号の説明】
【００１１】１    三角巾の本体部
２    三角巾のはちまき部
【図１】
0003170307.tif 000003
(57)【要約】      （修正有）【課題】必要に応じてブラシ部分とハンドル部分の交換ができるねじ７込み式の交換式ヒゲブラシを提供する。【解決手段】ネジ式になっているブラシ部分とハンドル部分からなる。ハンドル部分に金属の器型のプレートを上部に接着し、強度を増す為にハンドル部分とプレート部分の上部からネジで固定する。器型の内側側面をネジのメス側とし、ブラシ部分の金属で出来たカバーをオス型とする。【選択図】図２
0003170306.tif 000002
【実用新案登録請求の範囲】
【請求項１】
ヒゲブラシ本体を２つに分裂させ、ネジ式になっているブラシ部分とハンドル部分を必要に応じて交換が出来るようになっている。一般の使用者は勿論だが理容店などの現場ではブラシのみを交換する事によりハンドル部分はそのまま使用出来る。
【請求項２】
ブラシ部分は消耗品であることから、ハンドル部分と一体化の場合は使用出来るハンドル部分も破棄しなくてはならないが、このブラシは分裂出来るので消耗部分のみのブラシのみで済む。故にゴミも最小限に抑える事が出来る交換式ヒゲブラシ
【考案の詳細な説明】
【技術分野】
【０００１】  本考案は、ヒゲブラシの先端とハンドル部分が交換出来るシェービングに関する物である。
【背景技術】
【０００２】  理容店や一般使用者の通常の使用時において、ブラシを使用し消耗するとハンドル部分を含めたすべてを破棄していた
【考案の概要】
【考案が解決しようとする課題】
【０００３】一体のブラシは経済的負担も多く、また、ゴミが増えるので環境への問題でもある。理容店での使用時においては、ブラシ一本を消毒した際にはまるごと一本を消毒液に浸けて保管するのでブラシを何本も必要とする。このブラシはブラシ部分とハンドル部分が脱着出来る事で最小限の必要とする部分のみの消毒で問題点を解決しようとするものである。
【課題を解決するための手段】
【０００４】本考案は、ブラシ自体をネジ式にし、２つに分裂させ、ブラシ部分とハンドル部分に分け双方を交換出来るようにし、必要に応じて必要な部分のみを新しく、または交換出来るようにして問題を解決している。
【考案の効果】
【０００５】上述のように、本考案は交換式ヒゲブラシを２つに分離出来るようにし、理容店での使用時は必要に応じてブラシ部分のみ消毒し、既に消毒が出来ているブラシを装着し清潔さを保つ事が出来る、また、一般の使用者の場合はハンドル部分はそのまま使用し、消耗したブラシ部分のみを交換する事によりエコにも役立つ。
【図面の簡単な説明】
【０００６】
【図１】本考案の交換式ヒゲブラシの実施例を示す正面図である。
【図２】本ヒゲブラシの一部切欠断面図である。
【考案を実施するための形態】
【０００７】ヒゲブラシのハンドル部分に金属で出来た器型のプレートを上部に接着剤で接着し、強度を増す為にハンドル部分とプレート部分上部からネジを締め補強した。器型の内側側面にネジのメス側とした。一方のブラシ部分にも金属で出来たカバーをブラシの下部に接着剤で接着をし金属部分のカバーの下部にオス型のネジ込みをいれハンドル部分と装着出来るようにした。
【実施例】
【０００８】以下、添付図面に従って一実施例を説明する。１は、アナグマ毛１００％のシェービング時に適した素材のブラシ本体、２はブラシ本体に接着されており３にネジ式で合体するようになる。４は３と接着されており強度を増す為にネジで補強されている。【０００９】２ａはオス型のネジ式で３ｂはメス式となり２ａである２を回転させる事で３と合体する。３ａのスクリュー式ネジはアクリルで出来ている４と金属で出来ている２の接着の強度を増す為にとめてある。
【符号の説明】
【００１０】１、ブラシ本体
２、オス型金属プレート
３、メス型金属プレート
４、ハンドル本体
２ａ、オス型ネジ式部分
３ａ、スクリュー式ネジ
３ｂ、メス型ネジ式部分
【図１】
0003170306.tif 000003
【図２】
0003170306.tif 000004
【手続補正書】
【提出日】平成23年5月2日(2011.5.2)
【手続補正１】
【補正対象書類名】実用新案登録請求の範囲
【補正対象項目名】全文
【補正方法】変更
【補正の内容】
【実用新案登録請求の範囲】
【請求項１】
ヒゲブラシ本体を２つに分裂させ、ネジ式になっているブラシ部分とハンドル部分を必要に応じて交換が出来るようになっておりヒゲブラシのハンドル部分に金属の器型のプレートを上部に接着をし、強度を増す為にハンドル部分とプレート部分上部からネジで固定、器型の内側側面をネジのメス側とし、一方のブラシ部分にも金属で出来たカバーをオス型としネジ込み式の交換式ヒゲブラシ。
(57)【要約】      （修正有）【課題】変わり絵用の冊子を容易に作成出来るシートを提供する。【解決手段】一枚のシートを打ち抜き加工して縦台紙と横帯が繋がっている物を作成し、縦台紙の倍の長さにした横帯に両面タックを段ごとに市松模様のように貼り剥離紙をはがし接着層を作り、左の縦台紙を谷折して横帯の真ん中を山折し、次の縦台紙からひっくり返して同じ事をしていき、終わりの縦台紙を貼って冊子の出来上がりとなる。【選択図】図１
0003170308.tif 000002
【実用新案登録請求の範囲】
【請求項１】
縦台紙と縦台紙をつなぐ横帯を打ち抜き加工によって一枚のシートに設け、横帯は縦台紙の倍の長さにして段ごとに市松模様状態の接着層にして、そして横帯は列ごとに逐次、接着層を表、裏となるように設けた変わり絵用冊子。
【考案の詳細な説明】
【技術分野】
【００１】子供の玩具、変わり絵に類するものです。
【背景技術】
【００２】  市松模様の変わり目から開き、背中側からも開けられるようにして別々の絵を配して絵が変わった様に見せる子供の玩具。
【考案の概要】
【考案が解決しようとする課題】
【００３】  変わり絵は、縦用の台紙と横用の帯と接着剤を用意して、変わり絵用の冊子を作成するので多くの手順と多くの時間を要する事になりますので、１枚のシートで容易に作成出来るようにすること。
【課題を解決するための手段】
【００４】縦台紙と横帯を一連にして展開図を作り展開図に沿って打ち抜き加工して、縦台紙と横帯の用意を済ませ、接着剤は両面タックを所定の位置に貼って部分接着層を設ける事によって接着剤の用意を済ませます、縦台紙の倍の長さの横帯の上から奇数段は左半分に偶数段は両面タックを貼って接着剤の用意を済ませます、手順は両面タックの剥離紙をはがし接着層を作り出して左右の縦台紙をそれぞれ谷折して横帯に貼りつけ横帯の中心を山折します、そうすると最初の時と同じ状態、即ち裏側になりますけれども左右の縦台紙と縦台紙の倍の長さの横帯が現れますので最初と同じ所作をします、横帯が縦台紙の片側だけになったときが終わりの縦台紙になり、変わり絵用の冊子が出来上がります。
【考案の効果】
【００５】容易に作ることが可能なので本の付録にすることが可能になり、平らなシートの状態でも流通が可能になります。
【図面の簡単な説明】
【００６】
【図１】  本考案の展開図、表です。
【図２】  本考案の展開図、裏です。
【符号の説明】
【００７】  あ、  １番目の縦台紙
い、  ２番目の縦台紙
う、  ３番目の縦台紙
１、  １段目の横帯左半分
２、  ２段目の横帯右半分
３、  ３段目の横帯左半分
４、  ４段目の横帯右半分
ａ，  両面タック横帯右半分
ｂ，  両面タック横帯左半分
ｃ，  両面タック横帯右半分
ｄ，  両面タック横帯左半分
５、  １段目の横帯左半分
６、  ２段目の横帯右半分
７、  ３段目の横帯左半分
８、  ４段目の横帯右半分
ｅ，  両面タック横帯右半分
ｆ，  両面タック横帯左半分
ｇ，  両面タック横帯右半分
Ａ，  谷折の折れ線
Ｂ，  山折の折れ線
Ｃ，  谷折の折れ線
Ｄ，  山折の折れ線
Ｅ，  谷折の折れ線
Ｆ，  山折の折れ線
【図１】
0003170308.tif 000003
【図２】
0003170308.tif 000004
【手続補正書】
【提出日】平成23年5月13日(2011.5.13)
【手続補正１】
【補正対象書類名】実用新案登録請求の範囲
【補正対象項目名】全文
【補正方法】変更
【補正の内容】
【実用新案登録請求の範囲】
【請求項１】
３個以上の縦台紙と、縦台紙をつなぐ横帯を１枚のシートで作り、横帯は縦台紙の倍の幅にして上から奇数段は左半分に、偶数段は右半分に接着層を設けます、横帯は列ごとに逐次、接着層を表、次は裏として連続出来、項数を増やす事を可能にした変わり絵用の冊子。
【手続補正書】
【提出日】平成23年7月1日(2011.7.1)
【手続補正１】
【補正対象書類名】実用新案登録請求の範囲
【補正対象項目名】全文
【補正方法】変更
【補正の内容】
【実用新案登録請求の範囲】
【請求項１】
複数本の縦台紙と、複数本の横帯（縦台紙の倍の長さ）の組み合わせのうち、縦台紙は、おもて表紙縦台紙、うら表紙縦台紙、本体縦台紙の３種類、横帯は１種類にして、縦台紙を横帯に編み込む代わりに、横帯の上から奇数段は左半分に、偶数段は右半分にそれぞれ設けた接着層に貼りつけ、編み込みと同様の機能を持たせた、変わり絵冊子。
(57)【要約】      （修正有）【課題】動物によるゴミの散乱を防ぐ、折畳み式ネットごみ箱を提供する。【解決手段】上下に長方形又は正方形の形のステンレス３〜６ｍｍ線の枠を設け、そのステンレス３〜６ｍｍ線で作った上下枠と同周のスパイラル線を箱状の形に上下一箇所づつ溶接し、上面を除いた５面にネットを張り、上枠と同じステンレス３〜６ｍｍ線枠と同じ形状の枠面に４方１０ｃｍ程大きなネットをステンレス枠に均等に張った物を、箱上部枠長辺部片方に蝶番状金物で接続する。【選択図】図２
0003170305.tif 000002
【実用新案登録請求の範囲】
【請求項１】
上下に長方形又は正方形の大きさに順応したステンレス３〜６ｍｍ線の枠とおおきさに順応したステンレス３〜６ｍｍ線で作った上下枠と同周のスパイラル線を箱状の形に溶接し、上面を除いた５面にネットを張り上下と同じステンレス３〜６ｍｍ線枠と同じ形状の枠面に４方１０ｃｍ程大きなネットをステンレス枠に均等に張り、箱上部枠長辺部片方に蝶番状金物で接続した折畳み式ネットごみ箱
【考案の詳細な説明】
【技術分野】
【０００１】  本実案は、ステンレス３〜６ｍｍ線を長方形又は正方形の枠と同型のスパイラル線を組み合わせる事により大きさに合せたスパイラル線で高さを作るため簡単にたたむことが出来、下枠にフックを付ける事によりたたんだままを維持することが出来る。蓋に蝶番を付ける事により枠とのずれを防ぎ各面にネットを張る事により、鼠、カラス、猫、犬などの動物によるゴミの散乱を防ぐことが出来る。
【背景技術】
【０００２】  ステンレス線を使うことにより、ネットを張る事の耐久性、形状維持することが出来、骨組みの腐食を防ぐことが出来る。
【考案の開示】
【考案が解決しようとする課題】
【０００３】    通常使われているゴミ散乱防止ネットは、動物の散乱行為を防ぐことが出来ず、又、いろいろな素材で作られているゴミ箱は大きさや形状、置き場所が限られる。
【課題を解決するための手段】
【０００４】    ステンレス線及ステンレススパイラル線とネットの組み合わせにより厚みを薄くすることが出来、ネットとステンレス線の重量なので軽く持ち運び及び片付けが容易である。
【考案の効果】
【０００５】    本実案は、ステンレス線の長方形又は正方形の枠と外周の大きさ形を同じくするステンレススパイラル線を組み合わせ上面を残し５面にネットを張り、上枠と同型のステンレス線の枠に４方１０ｃｍ程度余分にネットを張った蓋を上枠長辺片方に蝶番で上枠両短辺面合わせるよう取り付ける事により、動物のごみを散乱する行為を防ぐことが出来る。
【考案を実施するための最良の形態】
【０００６】    本実案の最良の形態を図面で示す。
【産業上の利用可能性】
【０００７】      ごみの収集日にごみの量に合わせた折畳み式ネットごみ箱を置くことにより、ごみに散乱が無くなり収集後の片付けが軽減され、町の美化につながる物である
【図面の簡単な説明】
【０００８】
【図１】折畳み式ネットごみ箱骨組み図
【図２】折畳み式ネットごみ箱完成図
【図１】
0003170305.tif 000003
【図２】
0003170305.tif 000004
【手続補正書】
【提出日】平成23年3月23日(2011.3.23)
【手続補正１】
【補正対象書類名】実用新案登録請求の範囲
【補正対象項目名】全文
【補正方法】変更
【補正の内容】
【実用新案登録請求の範囲】
【請求項１】
上下に長方形又は正方形の形のステンレス３〜６ｍｍ線の枠を設け、そのステンレス３〜６ｍｍ線で作った上下枠と同周のスパイラル線を箱状の形に上下一箇所づつ溶接し、上面を除いた５面にネットを張り、上枠と同じステンレス３〜６ｍｍ線枠と同じ形状の枠面に４方１０ｃｍ程大きなネットをステンレス枠に均等に張った物を、箱上部枠長辺部片方に蝶番状金物で接続した折畳み式ネットごみ箱
(57)【要約】      （修正有）【課題】傘を使用後畳む時に手が濡れることなく、また生乾きによる不快なにおいが発生することを防止した傘を提供する。【解決手段】傘の布、生地の素材を伸縮素材とし、かつ防水性、抗菌性、耐久性、撥水性、親水性のある素材で形成する。また、それに伴う耐久性を持った部品で傘を作成することにより傘の使用後生地の収縮で生地にたわみが起こらないため乾きやすくまた巻き直す必要がなくなる。【選択図】図１
0003170309.tif 000002
【実用新案登録請求の範囲】
【請求項１】
本考案は通常の傘としての使用ができ、傘に含まれるすべて（日傘、折りたたみ傘等）において傘の布、生地の素材が伸縮素材であり防水性、抗菌性、耐久性、撥水性、親水性のある素材もしくはいずれかを使用している素材であること、また通常の傘に使用される生地、布との組み合わせで作られているということに特徴をもつ。そしてそれに伴う傘の部品はそれに対応した耐久性を有し、形状もそれを考慮するものであることに特徴をもつ
【考案の詳細な説明】
【技術分野】
【０００１】  本考案は傘の布、生地を伸縮性、防水性、耐久性を持った布もしくは樹脂、ゴム等の素材に変えることにより傘（折りたたみ傘等を含む）を畳む際に手でわざわざ巻き直す必要がなく傘の生地の縮む力により畳むだけで無駄なく引き締まる特徴を持ち、布部の収縮により水滴も下に早く落ち、乾くのが早い特徴も持つ。もちろん通常の傘として使用できる
【背景技術】
【０００２】従来の傘では畳んだ後、布のたわみ部分をわざわざ巻き直しを必要とする形状などが広く統一され採用されている。いっぽう近年においては、類似商品との差別化および需要者の購買意欲を喚起するためにいろいろな工夫を施すことが重要になっている。
【先行技術文献】
【特許文献】
【０００３】
【特許文献１】なし
【特許文献２】なし
【非特許文献】
【０００４】
【非特許文献１】なし
【非特許文献２】なし
【考案の概要】
【考案が解決しようとする課題】
【０００５】傘を畳む際に布部のたわみを巻き直す際に手が濡れてしまうし面倒である。また布のたわみ部を巻いてしまうと傘が乾きにくく生乾きにより不快なにおいが発生する
【課題を解決するための手段】
【０００６】傘に使用する布、生地を伸縮性があり、防水、抗菌、撥水、親水性などがある素材に変える。  それに対応するために傘の部品は必要な耐久性を持たせる
【考案の効果】
【０００７】傘を畳む際に手が濡れず手間が省ける。  また生地がたわわないため乾くのが早く衛生的である  そして雨の日の手間や時間を削減できることから、商品の付加価値を高め購買意欲を喚起する。
【図面の簡単な説明】
【０００８】
【図１】▲１▼・・・・通常の傘と同じように展開できる様子  ▲２▼・・・・通常の傘を畳んだ様子（通常の傘では生地に大きくたわみがある）
【図２】▲３▼・・・・通常の傘を畳んだ様子（横から見た様子）  ▲４▼・・・・考案を実施し、傘を閉じただけでまとまりがある様子  なおこれらの図は本考案の一例でありこれに限定するものではない
【考案を実施するための形態】
【０００９】本考案はデザイン性と請求項を考慮し、目的とする効果を出せる形状とする。
また使用方法は従来と変わらずに使用ができ、製造方法は必要とする効果のある素材を使い、それに伴う強度をもつ素材で傘を作る
【実施例】
【００１０】本考案は家庭、各個人、関係会社等において傘を使用する場面での利便性、衛生面が考慮されていることを特徴に持つ
【産業上の利用可能性】
【００１１】本考案の請求項に基づく上で、傘関係会社、製造会社、傘販売店にて傘として、または同様の効果をあらわす物に利用可能である
【符号の説明】
【００１２】▲５▼・・・・通常の傘と同じように展開できる様子
▲６▼・・・・通常の傘を畳んだ様子（通常の傘では生地に大きくたわみがある）
▲７▼・・・・通常の傘を畳んだ様子（横から見た様子）
▲８▼・・・・考案を実施し、傘を閉じただけでまとまりがある様子
【図１】
0003170309.tif 000003
【図２】
0003170309.tif 000004
【手続補正書】
【提出日】平成23年6月28日(2011.6.28)
【手続補正１】
【補正対象書類名】実用新案登録請求の範囲
【補正対象項目名】全文
【補正方法】変更
【補正の内容】
【実用新案登録請求の範囲】
【請求項１】
伸縮素材であり防水性、抗菌性、耐久性、撥水性または親水性のある素材からなる布または生地をもちいたことにより畳む際に手を汚さない、濡らさないまた巻き直す必要のない特徴をもつ傘
(57)【要約】      （修正有）【課題】凸凹面、粗雑面に装着、取り外しを可とする吸着盤を提供する。【解決手段】粗雑面、凸凹面にものを装着するにあたって、吸盤の吸着面と、その相手方のものの粗雑表面との間にパテを均等に塗布し、これらを押圧することにより安定的な装着を可能とした。加えて、装着の必要がなくなった場合は、装着面を破損汚染することなく脱着が可能となり、さらに、この吸盤とパテは、頻回、再利用が可能である。【選択図】図１
0003170304.tif 000002
【実用新案登録請求の範囲】
【請求項１】
粗雑面、凸凹面にものを装着するにあたって、従来の吸盤の吸着面と粗雑面の表面との間にパテを均等に塗布した上で、これらを押圧することにより凸凹面等へのものの装着を可能とし、さらに装着面を破損汚染することなく取り外すことを可能とする、凸凹面対応型パテ併用吸着盤
【考案の詳細な説明】
【技術分野】
【０００１】  この考案は、従来の吸盤とパテの併用により、ねじ、釘などを使用せず、従来接着固定が不可能であった凸凹目、粗雑面へのものの装着、取り外しを可能とするものである。
【背景技術】
【０００２】  従来、壁等の物体の側面に物品を一時的に固定装着する方法として吸盤が汎用的に利用されてきたが、凸凹面への使用はできなかった。
他に、物体と物体を半永久的に安定的に固定する方法として、マグネット、ポストイット、パテ、ツッパリ棒などが利用されている。
【考案の概要】
【考案が解決しようとする課題】
【０００３】  従来、凸凹面、粗雑面にものを一時的にかつ安定的に装着し、はずした後に接着面をきれいなままに保持する適当な方法がなく対応に苦慮していた。
従来、壁面等、物体の側面にものを固定する方法として吸盤が汎用的に利用されてきたが、壁用クロスなど粗雑面をもつ物質が増え、賃貸物件などでは、釘、ノリなどの接着剤の使用はできず、ものの装着範囲、方法には、大きな限界があった。
他の装着方法について考えると、マグネットはスチール面に限定され、ポストイットは頻回使用できない、ツッパリ棒は挟まれた場所に限定されるなど、万能な装着固定方法は存在しなかった。
【課題を解決するための手段】
【０００４】  従来の装着方法で、安定性、重さに対する強度などの面で勝っているのは吸盤であるが、この吸盤の凸凹面、粗雑面に対する弱点を補うべく、吸盤と装着しようとする相手側の物体の表面との間の空間にパテを併用して使用することにより、凸凹面へのものの装脱着を可能とする。
【考案の効果】
【０００５】  このパテを吸盤と併用することにより、クロス壁面等の凸凹面に容易にかつ安定的にものを固定装着することができ、かつ、相手方物質の表面を破損汚染することなく、容易に取り外すことができ、頻回使用も可能となる。
いままで、賃貸マンションのクロス壁面には、吸盤は装着できず、また、釘、テープ、接着材の使用はできず、ものを装着することができなかったが、この考案により、可能となる。結果として空間利用の可能性が大幅に拡大する。
【図面の簡単な説明】
【０００６】
【図１】本考案を下から見た図、横から見た図、及び押圧後の詳細図である。
【考案を実施するための形態】
【０００７】  吸盤を装着しようとする相手側の凸凹面の表面に適度な厚さのパテを塗布し、その上から吸盤を装着する方法を考案、採用し、適度な加圧により装着する。
【実施例】
【０００８】  たとえば、凸凹、粗雑面であるクロス壁面に、時計、額のたぐいを固定、装着したい場合、壁、額に吸盤の吸着面でない方を固定し、次に吸盤の吸着面を相手方の壁面との間に適度の厚みのパテを均等に装着し、これらを押圧して接着する。
次に、装着を解除する場合、これをわずかな力で引き離すことにより、壁面を傷めたり、汚すことなく、吸着以前の面に戻すことができる。
これらの装脱着行為は、頻回、繰り返して行うことが可能である。
【図１】
0003170304.tif 000003
【手続補正書】
【提出日】平成23年4月5日(2011.4.5)
【手続補正１】
【補正対象書類名】実用新案登録請求の範囲
【補正対象項目名】全文
【補正方法】変更
【補正の内容】
【実用新案登録請求の範囲】
【請求項１】
粗雑面、凸凹面への他のものの半永久的な固定、装着を行うにあたって、大気圧、水圧の差を利用してものに吸着する原理を利用した「吸盤」と、建築や模型製作で隙間充填剤として主として利用する「パテ（具体的にはブチルゴム系充填剤）」のふたつを組み合わせて併用して利用する。
【手続補正書】
【提出日】平成23年6月24日(2011.6.24)
【手続補正１】
【補正対象書類名】実用新案登録請求の範囲
【補正対象項目名】全文
【補正方法】変更
【補正の内容】
【実用新案登録請求の範囲】
【請求項１】
粗雑面、凸凹面への半永久的な固定、装着を行うにあたり、大気圧、水圧の差を利用してものに吸着する原理を利用した吸盤を使用する際に、その相手方の吸着面たる粗雑面、凸凹面との間に、隙間充填剤として使用するブチルゴム系充填剤であるパテを均等に塗布することにより、組み合わせて用いる、凸凹面対応型のパテ併用利用吸着盤
(57)【要約】      （修正有）【課題】空間内のあらゆる部材の表面に殺虫剤微粉を付着させることができる散粉器を提供する。【解決手段】細管を通して圧縮空気を噴出させながら該細管に継がれた側管から微粉状の殺虫剤を吸い込ませることにより、空気と殺虫剤との混合物が細管先端から噴出するようにした。【選択図】図１
0003170365.tif 000002
【実用新案登録請求の範囲】
【請求項１】
細管を通して圧縮空気を噴出すると同時に該細管に継がれた側管から微粉状の殺虫剤を吸い込ませることにより、空気と殺虫剤との混合物が細管先端から噴出することを特徴とする散粉器
【考案の詳細な説明】
【技術分野】
【０００１】  本考案は、微粉状の殺虫剤を散布する装置に関するものである。
【背景技術】
【０００２】  天井裏、壁内部、屋根裏のように人の入りにくい空間で活動する家屋害虫を駆除するには、該空間の開口部から微粉状の殺虫剤を吹き込み、該空間中に存在するあらゆる部材表面に薄く均一に付着させるとよい。【０００３】  散粉技術は、人やペットに寄生する害虫駆除のため、あるいは、農作物の病虫害対策として古くから実施されており、関連する技術文献、特許文献等は多数存在するが、小さい開口部から微粉状殺虫剤を散布し、複雑な空間内のあらゆる表面を処理できる技術は見当たらない。
【考案の概要】
【考案が解決しようとする課題】
【０００４】  本考案は、空間内部に向けて空気と殺虫剤微粉との混合物を吹き込むことにより前述の課題を解決しようとするものである。
【課題を解決するための手段】
【０００５】  本考案は細管を通して圧縮空気を噴出すると同時に、細管に継がれた側管から微粉状の殺虫剤を吸い込ませることにより、空気と殺虫剤との混合物が細管先端から噴出するように設計された装置である。
【考案の効果】
【０００６】  本考案の散粉器により細管を通して噴出する殺虫剤粉末と空気の混合物は、噴出直後は直線的に進み、失速するにつれて四方に広がり、最終的には周囲のあらゆる材質の表面に付着する。
【図面の簡単な説明】
【０００７】
【図１】本考案の散粉器の一実施例を示す模式図である。
【考案を実施するための形態】
【０００８】  圧縮空気の供給源はコンプレッサーまたは圧力調整弁付きの圧縮空気容器である。圧縮空気は噴射弁を経由し細管内を高速で流れ、細管先端から噴出する。この際、細管内を高速で流れる空気は側管から殺虫剤粉末を吸い込み、細管先端から殺虫剤微粉と空気の混合物が噴出する。ノズル先端にビニールチューブを装着し、該チューブの向きを変えることにより、噴射方向を選択することもできる。
【実施例】
【０００９】  以下、添付図面に従って、一実施例を説明する。１は細管（散粉ノズル）で内径５ｍｍの金属製である。２は側管で、細管１の先端から約２００ｍｍの位置で細管に１に結合されている。側管２の末端には長さ約５０センチのシリコーンチューブ４が装着され、チューブ４の他端は、殺虫剤微粉５の入った容器６の底部に達している。殺虫剤微粉の一例として、２００メッシュの篩を９０％以上通過するホウ酸粉末が上げられる。【００１０】  ３は噴射弁であり、耐圧ウレタンホースを介してコンプレッサー（最高圧力７．０気圧）に結合されている。噴射弁３を開くと、殺虫剤微粉は細管１に吸い込まれ、細管先端から空気と混合して噴出する。
【産業上の利用可能性】
【００１０】本考案の散粉器を用いれば、屋根裏、壁内部、天井裏などに生息する害虫を効果的に駆除できる。
【符号の説明】
【００１１】    １  金属製細管（散粉ノズル）
２  側管
３  噴射弁
４  ビニールチューブ
５  殺虫剤微粉
６  殺虫剤容器
【図１】
0003170365.tif 000003
(57)【要約】      （修正有）【課題】除菌、殺菌、消臭を施し、適度に湿気があり、簡単に擦って、トイレに流して捨てることができる女性性器のクリーナー専用シートを提供する。【解決手段】凸凹をつけた紙体に、殺菌、除菌、防臭の薬品をつけ、一枚一枚小分けにして密封する。【選択図】図２
0003170369.tif 000002
【実用新案登録請求の範囲】
【請求項１】
紙体に殺菌、除菌、防臭の薬品をつけ、常に湿った状態にした女性性器クリーナー専用シート
【請求項２】
紙体に凹凸をつけた請求項１に記載の女性性器クリーナー専用シート
【請求項３】
１枚１枚小分けにし、乾燥しないように密封した請求項１に記載の女性性器クリーナー専用シート
【考案の詳細な説明】
【技術分野】
【０００１】    本考案は女性性器クリーナー専用シートに関する。
【背景技術】
【０００２】    女性のおりもの、汗、尿のちびり、カビ菌の１種カンジタなどで臭くなり、不衛生で、痒み、かぶれを生じ、酷い場合には病気になってしまう。これに関し手軽な解決策は全く無かった。
【考案の概要】
【考案が解決しようとする課題】
【０００３】    今まで全く無かったシートにより簡単で、扱い易く、しかも素晴らしい効果を発する女性性器の清浄化シートを提供する。
【考案を解決する手段】
【０００４】    紙体に殺菌、除菌、防臭、の薬剤を施し、湿った状態にした。又、紙体に凹凸をつけたものもあり携帯用に１枚１枚小分けにし、乾燥しないように密封した女性性器クリーナー用シートもある。
【考案の効果】
【０００５】    風呂に入れない時や日中気になる時、使用すると清潔になり、気持ちがよく、衛生的な生活が送れる。粘膜に刺激が無い薬品を擦って使い破れないように一般のティッシュよりも厚手にしている。除菌、殺菌、消臭の薬品を施すので、極めて衛生的で使い易く、女性の悩みを解決する。
【０００６】    携帯用でも使え、生理用ナプキンと同じように一つ一つ小分けにし、乾燥しないようにする。これらの事により極めて使い易くなり、その清潔化も抜群である。使用後トイレで流せるし、後処理も簡単である。
【図面の簡単な説明】
【０００７】
【図１】    一枚のシートの平面図
【図２】    変化例の凹凸のある紙体の側面図
【考案を実施するための形態】
【０００８】    ティッシュより厚手の紙体ででき、横１５ｃｍ縦１２ｃｍ位がよく、普通の一枚の紙と又、図２で示すような凹凸を付けることにより擦ることにより汚れを早く確りとれるようにするタイプもある。数字１は紙体、２は凸部３は凹部を各々示す。
【実施例】
【０００９】    使用者が、痒み等を覚えたら、トイレに行き使用する。使用後はトイレで流す。
【符号の説明】
【００１０】１．  紙体
２．  凸部
３．  凹部
【図１】
0003170369.tif 000003
【図２】
0003170369.tif 000004
(57)【要約】      （修正有）【課題】熱中症予防を目的としたたすき掛け式に着用する冷却具を提供する。【解決手段】人体の首と脇を同時に冷やす輪状になった冷却具で、出し入れ自在の収納袋が複数個装着されており、収納袋に保冷材を収納することにより効果的に冷やすことができる。さらに止め具の付いたひも及び帯状の物で長さの調節と取り付け、取り外しが容易にできる構造になっており、たすき掛け式に着用することで人体の首、脇に密着させることができ、首、脇を効果的に冷やすことで体温の上昇を防ぐことができる。【選択図】図１
0003170363.tif 000002
【実用新案登録請求の範囲】
【請求項１】
本体部には出し入れ自在の収納袋が複数個装着されており、当該収納袋には保冷材を収納し止め具の付いたひも及び帯状の物で長さの調節ができ、当該本体部の幅が６０ｍｍ〜１００ｍｍ、長さが１０００ｍｍ〜１１００ｍｍで形成さた冷却具であって、たすき掛け式に着用することにより人体の首と脇を同時に冷やすことを特徴とした冷却具。
【請求項２】
タオル生地又は吸水性の生地を使用したことを特徴とする請求項１に記載の冷却具。
【考案の詳細な説明】
【技術分野】
【０００１】  本考案は、熱中症防止を目的としたたすき掛け式に着用する冷却具に関するものである。
【背景技術】
【０００２】  従来から一般的に熱中症を防止するための商品として頭部や首筋、脇などそれぞれ単独で冷やす商品が販売されていた。【０００３】  また、ベスト状の服に保冷材が内蔵された商品が販売されており、作業服などの下に着用し屋外で作業を行っていた。【０００４】  また、特開２０００−０６０８９１号公報には急な発熱、高熱を下げるため脇部分に保冷材を挟み、ゴムで固定する方法も開示されている。
【先行技術文献】
【特許文献】
【０００５】
【特許文献１】特開２０００−０６０８９１号  公報
【考案の開示】
【考案が解決しようとする課題】
【０００６】  従来からの商品は体の一部分を冷やすものが多く屋外での作業には効果が低い。【０００７】  また、保冷材付きベスト状の冷却具も作業服などの下に着用するため、商品も大きくなり着膨れになってしまい作業に悪影響を及ぼすこともあった。
【課題を解決するための手段】
【０００８】  本考案品は止め具の付いたひも及び帯状の物で、輪の形状からたすき掛け式に着用することでベスト形状の物と比べて、より体に密着した状態で体全体を効果的に冷やすことができる。【０００９】  本考案品には止め具の付いたひも及び帯状の物で容易に取り付け、取り外しが出来る構造になっている。【００１０】  本考案品には出し入れ自在の収納袋が複数個装着されており、収納袋に保冷材を収納することにより効果的に体を冷やすことができる。
【考案の効果】
【００１１】  本考案品は冷却具の中に保冷材を収納することでより効果的な冷却を実現している。【００１２】  たすき掛け式に着用することで人体の首、脇に密着させることができ、首、脇を効果的に冷やすことで体温の上昇を防ぐことができる。
【考案を実施するための最良の形態】
【００１３】  本体部には出し入れ自在の収納袋が複数個装着されており収納袋には保冷材を収納し、止め具の付いたひも及び帯状の物で長さの調節ができ止め具を使用することで容易に取り付け、取り外しができる。当該本体部の幅が６０ｍｍ〜１００ｍｍ、長さが１０００ｍｍ〜１１００ｍｍで形成さた冷却具である。
【実施例】
【００１４】  図１は人体にたすき掛け式に着用した冷却具の図である。
【産業上の利用可能性】
【００１５】  以上のように本考案によれば、たすき掛け式に着用した冷却具なら人体の首、脇を効果的に冷やすことができ屋外作業の熱中症防止に効果を発揮する商品となる。
【図面の簡単な説明】
【００１６】
【図１】本考案のたすき掛け式に着用した冷却具を示す斜視図である。
【図２】本考案のたすき掛け式に着用した冷却具を示す表面図である。
【図３】本考案のたすき掛け式に着用した冷却具を示す裏面図である。
【図４】本考案の冷却具を示す表面図である。
【図５】本考案の輪状にした冷却具を示す上面図である。
【符号の説明】
【００１７】１  冷却具
２  本体部
３  保冷材
４  収納袋
５  ひも及び帯状
６  止め具
【図１】
0003170363.tif 000003
【図２】
0003170363.tif 000004
【図３】
0003170363.tif 000005
【図４】
0003170363.tif 000006
【図５】
0003170363.tif 000007